(57)【要約】  【課題】  通帳、書類や紙幣等の収納区分を明確にすることができて、利用者の利便性が向上する通帳用カバーケースを提供する。  【解決手段】表面部材１と裏面部材２と中仕切部材３とを有し、表面部材１と裏面部材２との間に中仕切部材３を介在させて、表面部材１と中仕切部材３とで表側収納ポケット８を、裏面部材２と中仕切部材３とで裏側収納ポケット９をそれぞれ形成するようにした。【選択図】  図４ 
0003104699.tif 000002
【実用新案登録請求の範囲】
【請求項１】
表面部材と裏面部材と中仕切部材とを有し、前記表面部材と前記裏面部材との間に前記中仕切部材を介在させて、前記表面部材と前記中仕切部材とで表側収納ポケットを、前記裏面部材と前記中仕切部材とで裏側収納ポケットをそれぞれ形成するようにしたことを特徴とする通帳用カバーケース。
【請求項２】
前記中仕切部材の端部を、前記表側収納ポケット及び前記裏側収納ポケットのそれぞれの口部より外方に突出させたことを特徴とする請求項１に記載の通帳用カバーケース。
【請求項３】
前記表側収納ポケットの前記口部に指挿入用の切欠き部を形成するようにしたことを特徴とする請求項２に記載の通帳用カバーケース。
【請求項４】
前記表面部材に、前記表側収納ポケットに通帳を挿入した場合に、前記通帳に記載された氏名を透かして見る透明窓枠部を設けたことを特徴とする請求項１乃至請求項３のいずれかの一に記載の通帳用カバーケース。
【考案の詳細な説明】
【技術分野】
【０００１】
本考案は、郵便局や銀行等の預金等を記載する通帳を収納する通帳用カバーケースに関する。
【背景技術】
【０００２】
従来のこの種の通帳用カバーケースとしては、図８乃至図１０に示すものがある。この通帳用カバーケースは、表面部材１１と裏面部材１２のそれぞれ長手方向の辺縁部１１ｂ、１２ｂ及び短手方向の一方及び他方の辺縁部１１ｃ、１１ｄ、１２ｃ、１２ｄを熱溶着することで、表面部材１１と裏面部材１２とを互いに連結して、表面部材１１と裏面部材１２との間に収納ポケット１３を形成することで通帳用カバーケースが構成してあり、表面部材１１と裏面部材１２のそれぞれの長手方向の他の辺縁部１１ａ、１２ａは収納ポケット１３の口部１３Ａを形成している。
【０００３】
そして、表面部材１１の辺縁部１１ａの中央には切欠き部１４が形成してあり、また、表面部材１１は、短冊状の透明窓枠部１５を除いて印刷により不透明にしてあって、この不透明部分に広告形成部１６が形成してある。
【０００４】
上記のように構成された通帳用カバーケースでは、収納ポケット１３に通帳（図示せず）を挿入するが、この場合、通帳の表面に記載された氏名が透明窓枠部１５内に位置するようになる。また、通帳以外の例えば、書類や紙幣などは、通帳と一緒にして収納ポケット１３に挿入し収容する。
【０００５】
また、従来の通帳カバーケースとして、一つの収納ポケットを有する通帳カバーにキャッシュカード入れを付けたものがある（特許文献１参照）。  
【特許文献１】実開平０７−２７８６５公報
【考案の開示】
【考案が解決しようとする課題】
【０００６】
しかし、上記した前者の従来の通帳カバーケースにあっては、収納ポケット１３が一つであるために、この収納ポケット１３に、通帳と、通帳以外の例えば、書類や紙幣などは一緒にして収納ポケット１３に挿入し収容するようになって、不便であり、また、体の不自由な人は利用し難いものになるという問題が生じる。
【０００７】
また、上記した後者の従来の通帳カバーケースにあっては、一つの収納ポケットを有する通帳カバーにキャッシュカード入れが付けてあるが、このキャッシュカード入れは、キャッシュカード専用のポケットであって、収納ポケットには、通帳と、通帳以外の例えば、書類や紙幣などは、通帳と一緒にして挿入し収容するようになって不便であり、また、体の不自由な人は利用し難いものになるという問題が生じる。
【０００８】
本考案は従来の問題を改善するためになされたもので、その目的とするところは、通帳、書類や紙幣等の収納区分を明確にすることができて、利用者の利便性が向上する通帳用カバーケースを提供することである。
【課題を解決するための手段】
【０００９】
上記の目的を達成するために、本考案に係る通帳用カバーケースは、表面部材と裏面部材と中仕切部材とを有し、表面部材と裏面部材との間に中仕切部材を介在させて、表面部材と中仕切部材とで表側収納ポケットを、裏面部材と中仕切部材とで裏側収納ポケットをそれぞれ形成するようにしたものである。
【００１０】
かかる構成により、通帳用カバーケースには、その表裏に、表側収納ポケットと裏側収納ポケットが形成してあるために、表側収納ポケットに、例えば通帳を挿入し、裏側収納ポケットに、例えば書類や紙幣などを挿入し収容することができて、通帳、書類や紙幣等の収納区分を明確にすることができて、利用者の利便性が向上する。
【００１１】
また、本考案に係る通帳用カバーケースは、上記した本考案に係る通帳用カバーケースにおいて、中仕切部材の端部を、表側収納ポケット及び裏側収納ポケットのそれぞれの口部より外方に突出させたものである。
【００１２】
かかる構成により、突出部を指で押すことで表側収納ポケット及び裏側収納ポケットのそれぞれの口部を容易に開くことができるし、表側収納ポケット及び裏側収納ポケットに通帳等を挿入する際に、突出部がガイドになって通帳等の挿入を容易にすることができて、体の不自由な人でも利用し易くなる。
【００１３】
また、本考案に係る通帳用カバーケースは、上記した本考案に係る通帳用カバーケースにおいて、表側収納ポケットの口部に指挿入用の切欠き部を形成するようにしたものである。
【００１４】
かかる構成により、切欠き部に指を挿入して突出部を押すことができるために、表側収納ポケットの口部を容易に開くことができて、体の不自由な人でも利用し易くなる。
【００１５】
また、本考案に係る通帳用カバーケースは、上記した本考案に係る通帳用カバーケースにおいて、表面部材に、表側収納ポケットに通帳を挿入した場合に、通帳に記載された氏名等を透かして見る透明窓枠部を設けたものである。
【００１６】
かかる構成により、表側収納ポケットに通帳を挿入した場合に、通帳の表面に記載された氏名等を透明窓枠部から透かして見ることができて、氏名等が分かり易くなる。
【考案の効果】
【００１７】
本考案に係る通帳用カバーケースによれば、通帳用カバーケースには、その表裏に、表側収納ポケットと裏側収納ポケットが形成してあるために、表側収納ポケットに、例えば通帳を挿入し、裏側収納ポケットに、例えば書類や紙幣などを挿入し収容することができて、通帳、書類や紙幣等の収納区分を明確にすることができて、利用者の利便性が向上する。
【００１８】
また、本考案に係る通帳用カバーケースによれば、中仕切部材の端部を、表側収納ポケット及び裏側収納ポケットのそれぞれの口部より外方に突出させてあるために、突出部を指で押すことで表側収納ポケット及び裏側収納ポケットのそれぞれの口部を容易に開くことができるし、表側収納ポケット及び裏側収納ポケットに通帳等を挿入する際に、突出部がガイドになって通帳等の挿入を容易にすることができて、体の不自由な人でも利用し易くなる。
【００１９】
また、本考案に係る通帳用カバーケースによれば、表側収納ポケットの口部に指挿入用の切欠き部が形成してあって、この切欠き部に指を挿入して突出部を押すことができるために、表側収納ポケットの口部を容易に開くことができて、体の不自由な人でも利用し易くなる。
【００２０】
また、本考案に係る通帳用カバーケースによれば、表側収納ポケットに通帳を挿入した場合に、通帳の表面に記載された氏名等を透明窓枠部から透かして見ることができて、氏名等が分かり易くなる。
【考案を実施するための最良の形態】
【００２１】
本考案の実施の形態を、図面を参照して詳述する。    
【００２２】
（実施例１）
本考案の実施例１を図１乃至図４に示す。図１本考案に係る通帳用カバーケースの実施例１の平面図、図２は同通帳用カバーケースの裏面図、図３は同通帳用カバーケースにおける中仕切部材の平面図、図４は図１のＸ−Ｘ線に沿う断面図である。
【００２３】
本考案に係る通帳用カバーケースの実施例１は横形式のものである。この通帳用カバーケースは、表面部材１と、裏面部材２と、表面部材１と裏面部材２との間に介在される中仕切部材３とより構成してある。
【００２４】
すなわち、図１に示すように、表面部材１は、合成樹脂製のフイルムを長方形状に形成したものであって、その長手方向の一方の辺縁部１ａが解放辺にしてあり、長手方向の他方の辺縁部１ｂと短手方向の一方及び他方の辺縁部１ｃ、１ｄとが接合辺にしてある。そして、一方の辺縁部１ａの中央にはほぼ円弧形状の切欠き部４が形成してある。
【００２５】
また、表面部材１は印刷により不透明にしてあって、長手方向の他方の辺縁部１ｂ寄りで且つ短手方向の一方の辺縁部１ｃ寄りに、この一方の辺縁部１ｃに平行させて短冊状の透明窓枠部５が形成してあり、また、長手方向の他方の辺縁部１ｂ寄りで且つ短手方向の他方の辺縁部１ｄ寄りに広告形成部６が設けてある。
【００２６】
また、裏面部材２は、図２に示すように、合成樹脂製のフイルムを長方形状に形成したものであって、表面部材１と同形状で且つ同寸法であり、その長手方向の一方の辺縁部２ａが解放辺にしてあり、長手方向の他方の辺縁部２ｂと短手方向の一方及び他方の辺縁部２ｃ、２ｄとが接合辺にしてある。そして、裏面部材２は、印刷により不透明にしてある。
【００２７】
中仕切部材３は、図３に示すように、透明な合成樹脂製のフイルムを長方形状に形成したものであって、その短手方向の寸法は表面部材１（裏面部材２）の短手方向の寸法Ｓと同じにしてあるが、その長手方向の寸法が表面部材１（裏面部材２）の長手方向の寸法Ｔより寸法Ｕだけ長めにしてある。
【００２８】
そして、裏面部材２、中仕切部材３及び表面部材１を、この順序に重ねて、裏面部材２の長手方向の他方の辺縁部２ｂに、中仕切部材３の長手方向の他方の辺縁部３ｂと表面部材１の長手方向の他方の辺縁部１ｂとを一致させ、且つ裏面部材２の短手方向の一方及び他方の辺縁部２ｃ、２ｄに、中仕切部材３の短手方向の一方及び他方の辺縁部３ｃ、３ｄと、表面部材１の短手方向の一方及び他方の辺縁部１ｃ、１ｄとを一致させた状態で、それぞれの長手方向の他方の辺縁部２ｂ、３ｂ、１ｂ及び短手方向の一方及び他方の辺縁部（２ｃ、２ｄ）、（３ｃ、３ｄ）、（１ｃ、１ｄ）を熱溶着することで、裏面部材２と中仕切部材３と表面部材１とを互いに連結して通帳用カバーケースが構成してある。
【００２９】
この場合、中仕切部材３は、その長手方向の寸法が表面部材１（裏面部材２）の長手方向の寸法Ｔより寸法Ｕだけ長めにしてあるために、図１及び図２に示すように、中仕切部材３の長手方向の端部（一方の辺縁部３ａ側の端部）は、表面部材１及び裏面部材２のそれぞれの辺縁部１ａ、２ａより外方に寸法Ｕだけ突出した突出部７にしてある。
【００３０】
そして、通帳用カバーケースの表側には、表面部材１と中仕切部材３とで構成される表側収納ポケット８が、裏側には、裏面部材２と中仕切部材３とで構成される裏側収納ポケット９がそれぞれに形成してあって、表面部材１の長手方向の一方の辺縁部１ａと中仕切部材３とで表側収納ポケット８の口部８Ａが形成してあり、裏面部材２の長手方向の一方の辺縁部２ａと中仕切部材３とで裏側収納ポケット９の口部９Ａが形成してある。
【００３１】
次に、上記のように構成された通帳用カバーケースの使用について説明する。
【００３２】
通帳用カバーケースの表側を上にして、表面部材１の切欠き部４に右手の親指を位置させて中仕切部材３の突出部７を押すようにすることで、表側収納ポケット８の口部８Ａを開口することができるし、また、通帳用カバーケースを裏返して、中仕切部材３の突出部７を押すようにすることで、裏側収納ポケット９の口部９Ａを開口することができる。
【００３３】
そして、上記のように開口した口部８Ａから表側収納ポケット８に通帳（図示せず）を挿入する。この場合、通帳の表面に記載された氏名が透明窓枠部５内に位置するようになる。
【００３４】
また、同様に、開口した口部９Ａから裏側収納ポケット９に書類や紙幣などを挿入し収容する。
【００３５】
上記したように、本考案の実施例１によれば、通帳用カバーケースには、その表裏に、表側収納ポケット８と裏側収納ポケット９とが形成してあるために、表側収納ポケット８に、例えば通帳を挿入し、裏側収納ポケット９に、例えば書類や紙幣などを挿入し収容することができて、通帳、書類や紙幣等の収納区分を明確にすることができて、利用者の利便性が向上する。
【００３６】
また、本考案の実施例１によれば、中仕切部材３の端部を、表側収納ポケット８及び裏側収納ポケット９のそれぞれの口部８Ａ、９Ａより外方に突出させてあるために、この突出部７を指で押すことで表側収納ポケット８及び裏側収納ポケット９のそれぞれの口部８Ａ、９Ａを容易に開くことができるし、表側収納ポケット８及び裏側収納ポケット９に通帳等を挿入する際に、突出部７がガイドになって通帳等の挿入を容易にすることができて、体の不自由な人でも利用し易くなる。
【００３７】
また、本考案の実施例１によれば、表側収納ポケット８の口部８Ａに指挿入用の切欠き部４が形成してあるために、この切欠き部４に指を挿入して突出部７を押すことができるために、表側収納ポケット８の口部８Ａを容易に開くことができて、体の不自由な人でも利用し易くなる。
【００３８】
また、本考案の実施例１によれば、表側収納ポケット８に通帳を挿入した場合に、通帳の表面に記載された氏名等を透明窓枠部５から透かして見ることができて、氏名等が分かり易くなる。
【００３９】
（実施例２）
本考案の実施例２を図５乃至図７に示す。図５は本考案に係る通帳用カバーケースの実施例２の平面図、図６は同通帳用カバーケースの裏面図、図７は図５のＹ−Ｙ線に沿う断面図である。
【００４０】
本考案に係る通帳用カバーケースの実施例２は縦形式のものである。この通帳用カバーケースは、上記した本考案の実施例１と同様に、表面部材１と、裏面部材２と、表面部材１と裏面部材２との間に介在される中仕切部材３とで構成してあって、通帳用カバーケースの表側には、表面部材１と中仕切部材３とで構成される表側収納ポケット８が、裏側には、裏面部材２と中仕切部材３とで構成される裏側収納ポケット９がそれぞれに形成してあり、しかも、中仕切部材３の長手方向の端部（一方の辺縁部３ａ側の端部）は、表面部材１及び裏面部材２のそれぞれの解放辺部（一方の辺縁部１ａ、２ａ）より外方に突出した突出部７にしてある。
【００４１】
この場合、図５に示すように、表面部材１には、その一方の辺縁部１ａの中央に切欠き部４が形成してあり、表側収納ポケット８の口部８Ａ寄り（長手方向の一方の辺縁部１ａ寄り）に透明窓枠部５が形成してあり、また、長手方向の他方の辺縁部１ｂ寄りに広告形成部６が設けてある。
【００４２】
本考案の実施例２の場合も、通帳用カバーケースの表側を上にして、表面部材１の切欠き部４に右手の親指を位置させて中仕切部材３の突出部７を押すようにすることで、表側収納ポケット８の口部８Ａを開口するし、また、通帳用カバーケースを裏返して、中仕切部材３の突出部７を押すようにすることで、裏側収納ポケット９の口部９Ａを開口して、表側収納ポケット８に通帳を挿入し収容するし、裏側収納ポケット９に書類や紙幣などを挿入し収容する。
【００４３】
上記したように、本考案の実施例２の場合も、通帳用カバーケースには、その表裏に、表側収納ポケット８と裏側収納ポケット９が形成してあるために、表側収納ポケット８に、例えば通帳を挿入し、裏側収納ポケット９に、例えば書類や紙幣などを挿入し収容することができて、通帳、書類や紙幣等の収納区分を明確にすることができて、利用者の利便性が向上する。
【００４４】
また、中仕切部材３の端部を、表側収納ポケット８及び裏側収納ポケット９のそれぞれの口部８Ａ、９Ａより外方に突出させてあるために、この突出部７を指で押すことで表側収納ポケット８及び裏側収納ポケット９のそれぞれの口部８Ａ、９Ａを容易に開くことができるし、表側収納ポケット８及び裏側収納ポケット９に通帳等を挿入する際に、突出部７がガイドになって通帳等の挿入を容易にすることができて、体の不自由な人でも利用し易くなる。
【００４５】
また、表側収納ポケット８の口部８Ａに指挿入用の切欠き部４が形成してあるために、この切欠き部４に指を挿入して突出部７を押すことができるために、表側収納ポケット８の口部８Ａを容易に開くことができて、体の不自由な人でも利用し易くなる。
【００４６】
また、表側収納ポケット８に通帳を挿入した場合に、通帳の表面に記載された氏名等を透明窓枠部５から透かして見ることができて、氏名等が分かり易くなる。
【産業上の利用可能性】
【００４７】
本考案に係る通帳用カバーケースによれば、その表裏に、表側収納ポケットと裏側収納ポケットが形成してあるために、表側収納ポケットに、例えば通帳を挿入し、裏側収納ポケットに、例えば書類や紙幣などを挿入し収容することができて、通帳、書類や紙幣等の区分を明確にすることができて、利用者の利便性が向上するという効果を有し、郵便局や銀行等の預金等を記載する通帳等を収納する通帳用カバーケース等として有用である。
【図面の簡単な説明】
【００４８】
【図１】本考案に係る通帳用カバーケースの実施例１の平面図である。
【図２】同通帳用カバーケースの裏面図である。
【図３】同通帳用カバーケースにおける中仕切部材の平面図である。
【図４】図１のＸ−Ｘ線に沿う断面図である。
【図５】本考案に係る通帳用カバーケースの実施例２の平面図である。
【図６】同通帳用カバーケースの裏面図である。
【図７】図５のＹ−Ｙ線に沿う断面図である。
【図８】従来の通帳用カバーケースの平面図である。
【図９】同通帳用カバーケースの裏面図である。
【図１０】図８のＺ−Ｚ線に沿う断面図である。
【符号の説明】
【００４９】
１    表面部材
２    裏面部材
３    中仕切部材
４    切欠き部
５    透明窓枠部
６    広告形成部
７    突出部
８    表側収納ポケット
８Ａ  口部
９    裏側収納ポケット
９Ａ  口部
【図１】
0003104699.tif 000003
【図２】
0003104699.tif 000004
【図３】
0003104699.tif 000005
【図４】
0003104699.tif 000006
【図５】
0003104699.tif 000007
【図６】
0003104699.tif 000008
【図７】
0003104699.tif 000009
【図８】
0003104699.tif 000010
【図９】
0003104699.tif 000011
【図１０】
0003104699.tif 000012